(57)【特許請求の範囲】
【請求項１】
下記の支柱と横架梁とがジョイントを介して連結された空間形成用の骨組を「田」の字状に４組離間して配置するとともに、すべての隣り合う２組の空間形成用の骨組同士を、該骨組同士の離間する間隔が平面視４角形の空間を形成するように並べ、
該間隔が形成する空間の平面視４角形の４つの角部に位置する２組の空間形成用の骨組同士のうちの一方の組の空間形成用の骨組の２本の支柱と該２本の支柱のそれぞれに対向する他方の組の空間形成用の骨組の２本の支柱との間に、支柱同士の上端部に装着されている空間成形用の骨組におけるジョイントを介して、２本のパイプ材である連結管を該平面視４角形の２辺を形成するように架設して、すべての隣り合う２組の空間形成用の骨組同士を連結したことを特徴とする、４組の空間形成用の骨組を離間して「田」の字状に配置した骨組構造。
（記）
パイプ材からなる支柱が平面視４角形の４角の角部に配置され、
支柱の上端部において、支柱と支柱との間にパイプ材からなる横架梁を架設して該４角形の４辺を形成し、支柱の下端部において、支柱と支柱との間にパイプ材からなる横架梁を架設して該４角形の３辺を形成し、
支柱と横架梁とがジョイントを介して連結された空間形成用の骨組であって、ジョイントは、ジョイント本体とサブジョイントからなり、ジョイント本体は正六面体ブロックと該ブロックの５面からそれぞれ直角に突き出る５つの脚部を有し、サブジョイントはピンを有する部材であり、
支柱および横架梁を構成するパイプ材の両端部とジョイント本体の脚部とには、サブジョイントのピンが貫通できる孔が形成され、
支柱のパイプ材の端部にはジョイント本体の上記５つの脚部のうち、他の４つの脚部に対して直角の方向に突き出ている脚部が挿入されるとともに、横架梁のパイプ材の端部には該他の４つの脚部のいずれかの脚部が挿入され、
ジョイント本体の脚部と支柱およびジョイント本体の脚部と横架梁は、それぞれサブジョイントのピンが上記の孔に挿入されていることにより接続されている空間形成用の骨組。
【請求項２】
さらに、前記すべての隣り合う２組の空間形成用の骨組同士において、前記平面視４角形の４つの角部に位置する一方の組の空間形成用の骨組の２本の支柱のうちの前記骨組構造の中心部側に位置する支柱と他方の組の空間形成用の骨組の２本の支柱のうちの前記骨組構造の中心部側に位置する支柱との間に、支柱同士の下端部に装着されている空間形成用の骨組におけるジョイントを介して連結管を該平面視４角形の１辺を形成するように架設して、すべての隣り合う２組の空間形成用の骨組同士を連結したことを特徴とする、請求項１に記載の４組の空間形成用の骨組を離間して「田」の字状に配置した骨組構造。
【請求項３】
請求項１又は２に記載の４組の空間形成用の骨組を離間して「田」の字状に配置した骨組構造を有する４組の空間形成用の骨組のうちのいずれかの隣り合う２組の骨組に対して、さらに前記支柱と横架梁とがジョイントを介して連結された空間形成用の骨組を離間して２組配置し、前者の２組の骨組と後者の２組の骨組とで、請求項１又は２に記載の４組の空間形成用の骨組を離間して「田」の字状に配置した骨組構造と同じ骨組構造を形成したことを特徴とする、６組の空間成形用の骨組を離間して配置した骨組構造。
【請求項４】
請求項１又は２に記載の４組の空間形成用の骨組を離間して「田」の字状に配置した骨組構造を有する４組の空間形成用の骨組のうちのいずれかの隣り合う２組の骨組に対して、さらに請求項１又は２に記載の４組の空間形成用の骨組を離間して「田」の字状に配置した骨組構造を有する４組の空間形成用の骨組を離間して配置し、前者の４組の空間形成用の骨組のうちのいずれかの隣り合う２組の骨組と後者の４組の骨組のうちのいずれかの隣り合う２組の骨組とで、請求項１又は２に記載の４組の空間形成用の骨組を離間して「田」の字状に配置した骨組構造と同じ骨組構造を形成したことを特徴とする、８組の空間成形用骨組を離間して配置した骨組構造。
【発明の詳細な説明】
【技術分野】
【０００１】
本発明は、複数の空間形成用の骨組を互いに離間して配置することができる骨組構造に関わる。
【背景技術】
【０００２】
新型コロナウイルス感染症（COVID-19）の感染拡大にともない、フィジカルディスタンス（ソーシャルディスタンス）の確保が呼びかけられている。これは、この感染症は飛沫感染を主な感染経路としており、人と人との間に所定の距離を確保して、飛沫感染のリスクを低減しようとするものである。
【０００３】
ところで、発明者らは、複数の空間形成用の骨組を隣接させて、縦横に並べたりして集合的に配置した骨組構造の発明を提示した（特許文献１参照）。この骨組構造における各空間形成用の骨組に布やビニールで囲い、出入り口に当たる部位にはカーテンを設けて、外部と区切る空間を集合的に形成した建屋とすることができる。
【０００４】
このような集合的な空間を形成した建屋には、体育館などの屋内あるいは屋外に仮設した臨時の診察施設などやビルの大きなフロアーに特設したテレワーク室などが考えられるが、比較的多くの人が密集しやすいこのような場所では、隣り合う空間同士が距離を確保しないで接して互いの出入り口が比較的近い場合は、各々の空間を出入りする人がフィジカルディスタンスを確保するうえで好ましくない。また、感染症の感染者が区切られた空間の１つに入室していた場合、例えば、新型コロナ感染者を診察する場合には、区切られた空間同士の間には間隔がないため、隣りの空間に新型コロナ菌が飛散する恐れもある。
【先行技術文献】
【特許文献】
【０００５】
特許文献１：特許第６８３２０３５号公報
【発明の概要】
【発明が解決しようとする課題】
【０００６】
このように、従来の区切られた空間を集合的に形成することができる骨組構造は、隣り合う空間との間に間隔を確保するようにはできていない。
本発明はこのような問題を解決するためになされたものであり、複数の外部と区切られた空間を形成することができる骨組を、隣り合う空間同士の間には距離を確保しつつ、集合的に連結することができる骨組構造であって、しかも、連結、分離が容易であって、使用する部品も少なくて済み、分解後もコンパクトに収納でき、広い保管スペースを必要としない骨組構造を提供することを課題とする。
【課題を解決するための手段】
【０００７】
上記の課題を解決するために、本発明は以下の手段を採用する。
［１］下記の支柱と横架梁とがジョイントを介して連結された空間形成用の骨組を「田」の字状に４組離間して配置するとともに、すべての隣り合う２組の空間形成用の骨組同士を、該骨組同士の離間する間隔が平面視４角形の空間を形成するように並べ、該間隔が形成する空間の平面視４角形の４つの角部に位置する２組の空間形成用の骨組同士のうちの一方の組の空間形成用の骨組の２本の支柱と該２本の支柱のそれぞれに対向する他方の組の空間形成用の骨組の２本の支柱との間に、支柱同士の上端部に装着されている空間成形用の骨組におけるジョイントを介して、２本のパイプ材である連結管を該平面視４角形の２辺を形成するように架設して、すべての隣り合う２組の空間形成用の骨組同士を連結したことを特徴とする、４組の空間形成用の骨組を離間して「田」の字状に配置した骨組構造。
（記）
パイプ材からなる支柱が平面視４角形の４角の角部に配置され、支柱の上端部において、支柱と支柱との間にパイプ材からなる横架梁を架設して該４角形の４辺を形成し、支柱の下端部において、支柱と支柱との間にパイプ材からなる横架梁を架設して該４角形の３辺を形成し、支柱と横架梁とがジョイントを介して連結された空間形成用の骨組であって、ジョイントは、ジョイント本体とサブジョイントからなり、ジョイント本体は正六面体ブロックと該ブロックの５面からそれぞれ直角に突き出る５つの脚部を有し、サブジョイントはピンを有する部材であり、支柱および横架梁を構成するパイプ材の両端部とジョイント本体の脚部とには、サブジョイントのピンが貫通できる孔が形成され、支柱のパイプ材の端部にはジョイント本体の上記５つの脚部のうち、他の４つの脚部に対して直角の方向に突き出ている脚部が挿入されるとともに、横架梁のパイプ材の端部には該他の４つの脚部のいずれかの脚部が挿入され、ジョイント本体の脚部と支柱およびジョイント本体の脚部と横架梁は、それぞれサブジョイントのピンが上記の孔に挿入されていることにより接続されている空間形成用の骨組。
［２］さらに、前記すべての隣り合う２組の空間形成用の骨組同士において、前記平面視４角形の４つの角部に位置する一方の組の空間形成用の骨組の２本の支柱のうちの前記骨組構造の中心部側に位置する支柱と他方の組の空間形成用の骨組の２本の支柱のうちの前記骨組構造の中心部側に位置する支柱との間に、支柱同士の下端部に装着されている空間形成用の骨組におけるジョイントを介して連結管を該平面視４角形の１辺を形成するように架設して、すべての隣り合う２組の空間形成用の骨組同士を連結したことを特徴とする、［１］に記載の４組の空間形成用の骨組を離間して「田」の字状に配置した骨組構造。
［３］［１］又は［２］に記載の４組の空間形成用の骨組を離間して「田」の字状に配置した骨組構造を有する４組の空間形成用の骨組のうちのいずれかの隣り合う２組の骨組に対して、さらに前記支柱と横架梁とがジョイントを介して連結された空間形成用の骨組を離間して２組配置し、前者の２組の骨組と後者の２組の骨組とで、［１］又は［２］に記載の４組の空間形成用の骨組を離間して「田」の字状に配置した骨組構造と同じ骨組構造を形成したことを特徴とする、６組の空間成形用の骨組を離間して配置した骨組構造。
［４］［１］又は［２］に記載の４組の空間形成用の骨組を離間して「田」の字状に配置した骨組構造を有する４組の空間形成用の骨組のうちのいずれかの隣り合う２組の骨組に対して、さらに［１］又は［２］に記載の４組の空間形成用の骨組を離間して「田」の字状に配置した骨組構造を有する４組の空間形成用の骨組を離間して配置し、前者の４組の空間形成用の骨組のうちのいずれかの隣り合う２組の骨組と後者の４組の骨組のうちのいずれかの隣り合う２組の骨組とで、［１］又は［２］に記載の４組の空間形成用の骨組を離間して「田」の字状に配置した骨組構造と同じ骨組構造を形成したことを特徴とする、８組の空間成形用骨組を離間して配置した骨組構造。
【発明の効果】
【０００８】
本発明の骨組構造は、５つの脚部を有するジョイント本体とサブジョイントからなるジョイントによりパイプ材からなる支柱と横架梁を接続して構築された空間形成用の骨組の、支柱に装着されているジョイント本体の５つの脚部のうち、空間形成用の骨組の構築には使用されていない脚部のいずれかを使用することにより、隣り合う空間形成用の骨組同士を連結管により連結するものであるから、４組以上の複数の空間形成用の骨組を離間して集合的に連結することおよび分離することが容易に行え、しかも、空間形成用の骨組同士を連結するために使用される部材がかさばらないパイプ材である連結管であるから、骨組構造の分離後の部品は、空間形成用の骨組の部品に連結管とサブジョイントが加わるだけであるから、コンパクトに収納ができ、広い保管スペースを必要としない。
【図面の簡単な説明】
【０００９】
【図１】本発明における基本の骨組の斜視図を示す。
【図２】本発明の基本の骨組の平面図を示す。
【図３】支柱のパイプ材および横架梁のパイプ材を示す。
【図４】ジョイント本体の斜視図を示す。
【図５】サブジョイントとして使用される２つの実施形態を示す。（ａ）、（ｂ）はそれぞれ略Ｃ型クリップの正面図、側面図、（ｃ）は割ピンの斜視図を示す。
【図６】（ａ）はジョイント本体の脚部に横架梁のパイプ材が装着された状態を示す。（ｂ）は略Ｃ型クリップにより、ジョイント本体の脚部に横架梁のパイプ材が接続された状態を示す。
【図７】サブジョイント（略Ｃ型クリップ）によりジョイント本体の脚部に支柱や横架梁が接続されている状態の斜視図を示す。（ａ）は支柱上端部での接続状態を、（ｂ）は支柱下端部での接続状態の２つのタイプのうちの１つを、（ｃ）は支柱下端部での接続状態の他のタイプの１つを、それぞれ示す。
【図８】骨組構造の支柱の上端部において、支柱と横架梁が形成する角部に２つのコーナー材が取り付けられている骨組構造の斜視図を示す。（ａ）は骨組構造全体の斜視図を、（ｂ）は要部を拡大した斜視図をそれぞれ示す。
【図９】（ａ）は両端部の長さが異なるコーナー材の平面図を示す。（ｂ）はコーナー材本体部材の平面図を示す。
【図１０】コーナー材の把持部材を示す。（ａ）は正面図を示す。（ｂ）は平面図を示す。
【図１１】（ａ）は２組の空間形成用の骨組を離間して間隔を置いて並べ、この２つの骨組を連結した骨組構造（骨組構造２Ｄ）の斜視図を示す。（ｂ）は骨組構造２Ｄが構築される前の２組の空間形成用の骨組を離間して、両骨組の間に平面視平面４角形の空間が形成されるように配置した状態を斜視図で示す。
【図１２】骨組構造２Ｄにおいて、空間形成用の骨組の冂（けいがまえ）状の枠組の向きの状態が異なる３例（ａ）〜（ｃ）を斜視図で示す。
【図１３】（ａ）は４組の空間形成用の骨組を離間して間隔を「田」の字状に配置し、この４組の骨組を連結した骨組構造（骨組構造４Ｄ）の斜視図を示す。（ｂ）は骨組構造４Ｄが構築される前の４組の空間形成用の骨組を離間してすべての隣り合う空間形成用の骨組同士の間に平面視平面４角形の空間が形成されるように配置した状態を斜視図で示す。
【図１４】４組の空間形成用の骨組が「田」の字状に配置された骨組構造４Ｄの中心部の空間の平面視４角形の角部に配置された４本の支柱の上端部のみならず下端部にも、その上端部と同じように、連結管を接続して該平面視４角形の４辺を形成するように架設した骨組構造（骨組構造４Ｄ′）を斜視図で示す。
【図１５】４組の空間形成用の骨組が「田」の字状に配置された骨組構造４Ｄ′の中心部の空間の平面視４角形の角部に配置された４本の支柱の下端部において、コーナー材が支柱と横架梁との間に架設された状態を斜視図で示す。
【図１６】本発明の実施形態の１つである６組の空間形成用の骨組が離間して配置された骨組構造を斜視図で示す。
【図１７】本発明の実施形態の１つである６組の空間形成用の骨組が離間して配置された骨組構造を斜視図で示す。
【図１８】４組の空間形成用の骨組の側面の枠組みにシートやカーテンを取り付けられた骨組構造４Ｄを写真代用図面で示す。カーテンは冂（けいがまえ）状の枠組に取り付けられている。
【発明を実施するための形態】
【００１０】
本発明の骨組構造を図面に基づいて説明する。
本発明の骨組構造は、複数組の空間形成用の骨組を有し、後述するように、隣り合う空間形成用の骨組同士の間には間隔が置かれている。空間形成用の骨組の側面やさらには天井の枠組に布やビニールなどからなるシートを取り付ければ、空間形成用の骨組は外部と区切る空間を形成することができる。
以下、この空間形成用の骨組を「基本の骨組」ということにする。
【００１１】
最初に基本の骨組について説明する。
基本の骨組１は、図１に示されるように、平面視４角形の４角の角部に配置される同じ高さの４本の支柱２および支柱２と支柱２との間に架設される７本の横架梁３を備えている。
なお、梁とは、通常、柱の上にはり渡し屋根を支える材料を指しているが、横架梁は支柱と支柱の間に架設される材料を指している。
【００１２】
基本の骨組１の支柱２の上端部においては、図２からも分かるように、後述するジョイント４を介して横架梁３が支柱２と支柱２の間に架設され、４本の横架梁３が平面視４角形の４辺を形成している。なお、図２では、支柱２はジョイント４の下に隠れている。また、この図では、ジョイント４を構成しているジョイント本体とサブジョイントのうち、サブジョイントは省略されている。
他方、支柱２の下端部においても、支柱２と支柱２の間にジョイント４を介して横架梁３が架設され、図１から分かるように、３本の横架梁３が平面視４角形の３辺を形成している。
【００１３】
したがって、基本の骨組１は、２本の支柱と該２本の支柱の上端部と下端部に架設される２本の横架梁３とで形成される３つの矩形の枠組、２本の支柱と該２本の支柱の上端部に架設される横架梁３とで形成される冂（けいがまえ）状の枠組および支柱２の上端部に架設された４本の横架梁３が形成する平面視四角の矩形の枠組で囲われる立方体や直方体の空間を形成することができる。
上記の３つの矩形の枠組および冂（けいがまえ）状の枠組は、基本の骨組１が形成する空間の側面を形成し、上記の支柱２の上端部に架設された４本の横架梁３が形成する平面視４角の矩形の枠組は、基本の骨組１が形成する空間の天井面を形成することになる。
【００１４】
基本の骨組１が形成する空間の側面の枠組に布やビニールなどからなるシートを取り付ければ、外部と区切る空間を形成することができる。さらに、基本の骨組１が形成する空間の天井面の枠組にシートを取り付ければ、外部と区切る天井付きの空間を形成することができる。
この基本の骨組１は、２本の支柱２と該２本の支柱２の上端部に架設された横架梁３で冂（けいがまえ）状の枠組を備えるが、この冂（けいがまえ）状の枠組の横架梁３に、例えば布やビニールなどからなるシートの代わりにカーテンを取り付けると、カーテンをどちらか一方の支柱側に寄せたり２つの支柱の間に拡げたりして、冂（けいがまえ）状の枠組を基本の骨組１が形成する空間への出入り口とすることができる。また、シートやカーテンなどを取り付けない場合は、常に開放された出入り口とすることができる。
【００１５】
支柱２と横架梁３は内径および外径が同じパイプ材とする。こうすることで部品の種類の数を少なくすることができる。
支柱２はいずれも同じ長さであるが、横架材３については、少なくとも、互いに平行に架設される横架梁同士が同じ長さでなければならない。
支柱２や横架梁３のパイプ材の両端部の各端部には後述するサブジョイントのピンが該パイプ材を貫通できる２つの孔が形成されている。図３に支柱２と横架梁３のパイプ材を示した。ここでは、支柱２は横架梁３と同じ長さのものが示されているが、この形態に限るものではなく、支柱２が横架梁３よりも長い場合、あるいは短い場合もある。
【００１６】
支柱２と横架梁３はジョイント４により接続して、横架材３を支柱２と支柱２の間に架設することができる。
ジョイント４は、ジョイント本体５とサブジョイント６からなり、ジョイント本体５を図４に、サブジョイント６を図５にそれぞれ示した。
【００１７】
ジョイント本体５は、正６面体ブロックと正６面体ブロックの６面のうちの５面において、各面に対して直角に突き出る円柱状の脚部５１を備えている。これら５つの脚部５１の長さと外径は同じである。
５つのうちの４つの脚部５１は、脚部５１の軸中心線が同一平面上にあり、隣り合う脚部同士の軸中心線が直角を形成している。そして、残りの１つの脚部５１は、軸中心線がこの平面に垂直であり、図４では上向きに示されている。
したがって、ジョイント本体５が有する５つの脚部のうち、１つの脚部（図４では上向きの脚部）５１は、他の４つの脚部５１に対して直角の方向に突き出ている。
また、脚部５１には、脚部５１の軸に直交する貫通孔５２が形成されている。後述するように、貫通孔５２には、サブジョイント６のピンが挿入される。
【００１８】
サブジョイント６は、ピン６１を備える部材であり、ジョイント本体５の脚部５１から支柱２や横架梁３のパイプ材が外れないようにするためのものある。図５（ａ）、（ｂ）および図５（ｃ）にサブジョイント６の異なる実施形態を示した。
【００１９】
図５（ａ）、（ｂ）に示す実施形態では、ピン６１を備える断面が略Ｃ型の把持部６２を有する略Ｃ型クリップ６であり、支柱２や横架梁３のパイプ材を把持することができる。この把持部６２は、弾性を有する２つの把持片を有し、把持片を押し拡げて支柱２や横架梁３のパイプ材に装着した後は２つの把持片が閉じる方向に締まるようになっている。
そして、ピン６１は、略Ｃ型の部位の中央部から把持片側に突き出し、ピン６１の径（断面の長さ）はジョイント本体５の脚部５１に穿設された貫通孔５２の径および支柱２や横架梁３のパイプ材の端部に穿設された貫通孔の径よりもやや小さい。
そして、ピン６１の把持片側に突き出ている部位は、支柱２や横架梁３のパイプ材の外径よりやや長く、略Ｃ型クリップ６がこれらのパイプ材に装着されると、ピン６１がパイプ材の端部に穿設された２つの孔を貫通し、同時にジョイント本体５の孔５２を貫通することになる。
【００２０】
上述したように、サブジョイント６は、ジョイント本体５の脚部５１から支柱２や横架梁３のパイプ材が外れないように接続するためのものであるから、サブジョイント６として、略Ｃ型クリップの代わりに、図５（ｃ）に示すような、ピン６１を有する割ピン６を使用することもできる。
割ピン６は、ピン６１と頭部６３とからなり、ピン６１が開脚できる２本の脚からなっている。対象物の孔にこの２本の脚であるピン６１を通し、この脚を両側に開くようにして固定するものであり、支柱２や横架梁３のパイプ材の端部に形成された２つの孔とジョイント本体５の脚部５１に形成された孔５２とを貫通するように、割ピンのピン６１を挿入し、パイプ材から飛び出たピンの２本の脚を曲げて開き、支柱２や横架梁３のパイプ材の外周に沿わせることで、ジョイント本体５の脚部５１に支柱２や横架梁３のパイプ材を接続することができる。割ピンのピン６１の長さは、パイプ材の外径よりも長くなければならない。図示はしていないが、ヘアピン型の割ピンも同様にサブジョイント６として使用することができる。
【００２１】
サブジョイント６がピン６１を有する部材であるから、該ピンを支柱２や横架梁３、ジョイント本体５の脚部５１に形成された孔に挿入して、工具を使用することなく、あるいは簡単な工具を使用して、支柱２や横架梁３をジョイント本体の脚部５１に接続することができ、基本の骨組１の組立を容易に行うことができる。逆に分解するときも、同様に容易に行うことができる。
とりわけ、略Ｃ型クリップ６は、２つの把持片を手で押し広げて、ピン６１を支柱２や横架梁３のパイプ材およびジョイント本体５の脚部５１に形成された孔に挿入することにより、工具を必要としないで、パイプ材をジョイント本体５に接続することも可能である。
【００２２】
基本の骨組１においては、ジョイント本体５の、軸中心線が同一平面上にある４本の円柱状の脚部５１のいずれかの脚部に、該脚部５１が横架梁３のパイプ材の端部に挿入された状態で、該横架梁３が装着される。この状態を図６（ａ）に示した。
そして、支柱２についても、図6には示されてはいないが、上記の４本の脚部５１ではない残りの１つの円柱状の脚部５１、すなわち上記の４本の脚部５１の軸中心線が形成する平面に対して軸中心線が直角をなす脚部５１には、該脚部５１が支柱２のパイプ材の端部に挿入された状態で、該支柱２が装着される〔図７（ａ）〜（ｃ）参照〕。
したがって、ジョイント本体５の脚部５１の外径は支柱２や横架梁３のパイプ材の内径以下にしなければならない。脚部５１を横架梁３や支柱２のパイプ材の端部に挿入しやすいように、脚部５１の外径を横架梁３や支柱２のパイプ材の内径よりもやや小さくして、脚部５１とパイプ材がタイトな状態にならないように遊びを持たせることが望ましい。こうすると、ジョイント本体５の脚部５１と支柱２や横架梁３のパイプ材を装着あるいは分離することが容易に行える。
【００２３】
サブジョイント６は、ジョイント本体５の脚部５１が挿入された支柱２や横架梁３のパイプ材の端部に装着されて、ジョイント本体５の脚部５１から支柱２や横架梁３のパイプ材が外れないようにするためのものある。
ジョイント本体５の脚部５１に支柱２や横架梁３のパイプ材を取り付けるには、まず脚部５１をパイプ材の端部に、該パイプ材に穿設された孔（２つ）と脚部５１に穿設された孔５２とが重なるように挿入し、次いで、ピン６１がパイプ材の端部に形成された２つの孔とジョイント本体５の脚部５１に形成された孔とを貫通するように、装着して取り付ける。
このようにして、ジョイント本体５の脚部５１から支柱２や横架梁３のパイプ材が外れないように取り付けることができる。
図６（ａ）に、ジョイント本体５の、軸が同一平面上にある４本の脚部５１の１つに、横架梁３のパイプ材の端部に挿入された状態を、図６（ｂ）に、図６（ａ）に示された横架梁３のパイプ材の端部にサブジョイント６の略Ｃ型クリップが装着された状態をそれぞれ示した。
【００２４】
図１に示すように、支柱２の上端部と下端部のそれぞれにおいて、４つのジョイント４を使用することにより横架梁３を架設して、１つの空間を形成する基本の骨組１を構築することができる。
そして、図１や図７（ａ）から分かるように、支柱２の上端部では、４つのジョイントのいずれのジョイント本体５においても、軸中心線が同一平面上にある４つの脚部５１のうちの２本の脚部に横架梁３が取り付けられるとともに、該同一平面に垂直でかつ下向きに突き出る脚部５１には支柱２が取り付けられている。
【００２５】
また、支柱２の下端部では、４つのジョイント本体のうち、２つのジョイント本体５においてはいずれも、図１や図７（ｂ）に示すように、軸が同一平面上にある４本の脚部５１のうちの２本の脚部５１に横架梁３が取り付けられるとともに、該同一平面に垂直でかつ上向きに突き出る脚部５１に支柱２が取り付けられている。そして、図１や図７（ｃ）に示すように、残りの２つのジョイント本体５においてはいずれも、軸中心線が同一平面上にある４本の脚部５１のうちの１本の脚部に横架梁３が取り付けられるとともに、該同一平面に垂直でかつ上向きに突き出る脚部５１に支柱２が取り付けられている。
そして、図７（ａ）〜（ｃ）では、ジョイント本体５の脚部５１が挿入された支柱２や横架梁３のパイプ材の端部にはいずれも、図５（ａ）、（ｂ）に示す略Ｃ型クリップのサブジョイント６が装着されて、ジョイント本体５から、支柱２や横架梁３のパイプ材が外れないようになっている。サブジョイント６として、図５（ｃ）に示す割ピンを使用しても同様である。
【００２６】
基本の骨組１において、支柱２の上部では、平面視４角形の４つの角部のいずれかにおいて、ジョイント４で連結された支柱２と横架梁３との間あるいは横架梁３と横架梁３との間に形成されるコーナー部にコーナー材７を取り付けることにより、基本の骨組１をより堅固なものにすることができる。
図８に、基本の骨組１におけるコーナー材７の使用例の１つを示した。すなわち、基本の骨組１の支柱２の上端部に形成される平面視４角形の角部の１つにおいて、２つのコーナー材７が取り付けられ、支柱２と２本の横架梁のうちの一方の横架梁３ａとの間および該支柱２と他方の横架梁３ｂとの間のそれぞれのコーナー部にコーナー材７が架設されている。
【００２７】
コーナー材７は、本体部材７１と把持部材７２とからなり、該本体部材７１の両先端部に支柱２や横架梁３のパイプ材を把持できる把持部材７２が固定して取り付けられている。本体部材７１はパイプ材などから両端部を曲げて製作することができる。
本体部材７１の両端部は、両端部の軸中心線の延長が直角に交わっていなければならない。
図９（ａ）にコーナー材７の一実施形態を、また図９（ｂ）に、図９（ａ）に示されるコーナー材７から把持部材７２を取り除いた本体部材７１の一実施形態をそれぞれ示した。本体部材７１の両端部に取り付けられる把持部材７２は同じ形状のものを使用することができる。
【００２８】
図１０にコーナー材７の把持部材７２の一実施形態を示した。この図から分かるように、把持部材７２は支柱２や横架梁３のパイプ材を把持することができる略Ｃ型の把持部７２１と本体部材７１の端部が挿入されるソケット部７２２を有している。そして、該本体部材７１の端部と該ソケット部７２２とのそれぞれにはネジが挿入できる雌ネジ孔（図面番号なし）が形成されており、該孔にネジをねじ込むことにより、把持部材７２を本体部材７１に固定することができる。
【００２９】
略Ｃ型の把持部７２１は弾性体の材料で作られており、コーナー材７を支柱２や横架梁３のパイプ材には、把持部７２１の把持片の間隔を拡げて押し込めば装着することができる。この把持部７２１の把持片の開口の向きは、コーナー材７の両端部では同じにすることが望ましい〔図９（ｂ）および図１０（ａ）参照〕。
【００３０】
図９（ｂ）に示される本体部材７１は、両端部と両端部に連続する中央部を有し、両端部は所定の長さを有し、その軸中心線の延長が直角に交差するとともに、両端部の長さは異なっている。こうすることで、図８に示すように、同じ形状の２つのコーナー材を骨組構造１の支柱２の上端部に形成される平面視４角形の１つの角部に同時に使用することができる。
すなわち、図８では、基本の骨組１の平面視４角形の１つの角部において、支柱２の上端部に２つの同じ形状の、両端部の長さが異なっているコーナー材７が使用されている。
【００３１】
次に、本発明の実施形態を説明する前に、２つの基本の骨組を離間して間隔を置いて並べ、この２つの基本の骨組を連結した骨組構造について説明する。以下、この骨組構造を「骨組構造２Ｄ」という。
図１１（ａ）に骨組構造２Ｄを示した。この図において、左側の基本の骨組１を骨組１ａ、骨組１ａに間隔を置いて並べられた右側の基本の骨組１を骨組１ｂということにする。
骨組構造２Ｄを形成するには、図８（ｂ）に示すように、骨組１ａと骨組１ｂとを離間して並べ、両骨組の間に平面視平面４角形の空間が形成されるように配置する。この空間は、基本の骨組同士（骨組１ａと骨組１ｂ）の間に間隔となるものであるので、以下、このような空間を「間隔空間」ということにする。
この図８（ｂ）から分かるように、この間隔空間の平面視４角形の４つの角部には、骨組１ａの２本の支柱２と骨組１ｂの２本の支柱２が間隔を挟んで配置されているが、平面視４角形の間隔空間においては、骨組１ａにおける２本の支柱２の間および骨組１ｂにおける２本の支柱２の間には、支柱２の上端部において、それぞれ横架梁３がすでに架設されているから、図８（ｂ）に示される間隔空間においては、支柱２の上端部において、平面視４角形の４辺のうちの２辺は基本の骨組１ａ、１ｂにおける横架梁３により形成されている。
【００３２】
そして、以下に記載するように、支柱２の上端部において、２対の対向する骨組１ａの支柱と骨組１ｂの支柱の間に連結管８を架設することで、骨組１ａと骨組１ｂとを連結することができる。
連結管８は、支柱２や横架梁３と内径および外径が同じパイプ材であり、両端部の各端部には、支柱２や横架梁３と同様に、サブジョイント６のピン６１が該パイプ材を貫通できる２つの孔が形成されている（図３参照）。
したがって、連結管８を２本の支柱２の間にジョイント４を介して横架梁３と同様に架設することができ、そして連結管８の長さにより、２組の基本の骨組（すなわち骨組１ａ、骨組１ｂ）との間の離間する距離が決まる。
【００３３】
図７（ａ）から分かるように、基本の骨組１における平面視４角形の角部では、支柱２の上端部においては、支柱２と横架梁３が５つの脚部５１を有するジョイント本体５に連結されているが、５本の脚部５１のうちの２本は基本の骨組１においては使用されていないから、この使用されていない脚部５１のいずれかを利用することにより、連結管８により骨組１ａと骨組１ｂとを連結することができる。
すなわち、間隔空間が形成されている骨組１ａと骨組１ｂとの間には対向する支柱同士（骨組１ａの支柱２と骨組１ｂの支柱２）が２対存在するが、この２対のいずれの対においても、骨組１ａの支柱２の上端部に取り付けられたジョイント本体５と骨組１ｂの支柱２の上端部に取り付けられたジョイント本体５には互いに対向し、かつ使用されていない脚部５１が存在するから、この骨組１ａのジョイント本体５と骨組１ｂのジョイント本体５の対向し、かつ使用されていない脚部５１同士に連結管８を接続して架設することにより、骨組１ａと骨組１ｂとをジョイント４を介して接続することができる。
【００３４】
具体的には、骨組１ａのジョイント本体５と骨組１ｂのジョイント本体５の対向し、かつ使用されていない脚部５１同士のそれぞれを、連結管８の両端部に挿入して、サブジョイント６を装着して、ピン６１が連結管の孔と脚部の孔５２を貫通して、脚部５１から連結管８を外れないように接続することができる。この作業は、ジョイント本体５の脚部５１に横架梁３のパイプ材を接続するのと同様の作業であり、工具を使用することなく、あるいは簡単な工具を使用して行うことができる。
このようにして、図１１（ａ）に示すように、骨組１ａと骨組１ｂとを２本の連結管８で連結することができる。
【００３５】
骨組１ａと骨組１ｂとは、支柱２の上端部において２本の連結管８で連結され、両骨組の間に形成される間隔空間の平面視４角形の２辺に連結管８が架設されることになり、骨組１ａと骨組１ｂの２つの基本の骨組を連結して並設することができる。
このようにして、２つの基本の骨組との間に間隔を置いて並設して、骨組構造２Ｄを構築することができる。
【００３６】
図１１（ａ）の骨組構造２Ｄでは、骨組１ａと骨組１ｂのそれぞれが形成する空間の側面、さらには天井面に布やビニールからなるシートやカーテンを取り付けることにより、外部と区切る空間を形成することができるから、２組の基本の骨組（骨組１ａと骨組１ｂ）を平面視４角形の間隔空間を挟んで並べることができる。
【００３７】
図１１（ａ）における骨組構造２Ｄでは、それぞれの基本の骨組における冂（けいがまえ）状の骨組は同じ方向に向いているが、図１２（ａ）〜（ｃ）に示すように、互いに反対の方向に向くように、また、骨組１ａあるいは骨組１ｂの冂（けいがまえ）状の枠組が骨組１ａと骨組１ｂとの間に形成されている間隔空間に向くようにすることもできる。
すでに記載したように、基本の骨組１における冂（けいがまえ）状の枠組は、基本の骨組１が形成する空間への出入り口とすることができるものである。
【００３８】
次に、上述の空間形成用の骨組である基本の骨組１を４組使用して、該４組の基本の骨組を、「田」の字状に離間して配置するとともに、すべての隣り合う２組の基本の骨組の離間する間隔が平面視４角形の空間を形成するように配置した本発明の実施形態について説明する。この実施形態の骨組構造を図１３（ａ）に示す。以下、この実施形態の骨組構造を「骨組構造４Ｄ」という。
【００３９】
骨組構造４Ｄに使用される４つの基本の骨組１を、図１３（ａ）、（ｂ）に示すように、時計回りにそれぞれ「骨組１ａ」〜「骨組１ｄ」ということにする。
骨組構造４Ｄを形成するには、図１３（ｂ）に示すように、４つの基本の骨組を「田」の字状に離間して配置するとともに、すべての隣り合う基本の骨組同士の間に平面視４角形の間隔空間が形成されるように配置する。すなわち、骨組１ａと骨組１ｂとの間、骨組１ｂと骨組１ｃとの間、骨組１ｃと骨組１ｄとの間、骨組１ｄと骨組１ａとの間のいずれにも平面視４角形の間隔空間が形成されている。
【００４０】
図１３（ｂ）から分かるように、すべての隣り合う基本の骨組同士の配置はいずれも、２組の基本の骨組１が骨組構造２Ｄを形成する前の２組の基本の骨組１の配置、すなわち図１１（ｂ）に示されるものと同じである。すなわち、骨組１ａと骨組１ｂ、骨組１ｂと骨組１ｃ、骨組１ｃと骨組１ｄ、骨組１ｄと骨組１ａは、いずれも２つの基本の骨組１が骨組構造２Ｄを形成する前の２つの基本の骨組の配置と同じである。
したがって、隣り合う基本の骨組同士については、骨組構造２Ｄを構築するときと同様に、例えば、骨組１ａと骨組１ｂでは、２対の対向する骨組１ａの支柱２と骨組１ｂの支柱２の間に、支柱２の上端部において連結管８を架設することで、骨組１ａと骨組１ｂとを２本の連結管８で連結することができる。そして、骨組１ｂと骨組１ｃ、骨組１ｃと骨組１ｄ、骨組１ｄと骨組１ａにおいても、同様に２本の連結管８を架設して、２組の基本の骨組同士を連結することができる。
【００４１】
骨組構造４Ｄの構築においても、骨組構造２Ｄと同様に、間隔空間が形成されている２組の基本の骨組同士の間には対向する支柱同士（例えば、骨組１ａの支柱２と骨組１ｂの支柱２）が２対存在するが、この２対のいずれの対においても、一方の基本の骨組１の支柱２の上端部に取り付けられたジョイント本体５と他方の基本１の骨組の支柱２の上端部に取り付けられたジョイント本体５には互いに対向し、かつ使用されていない脚部５１同士〔図７（ａ）参照〕が存在するから、一方の組の基本の骨組のジョイント本体５と他方の組の基本の骨組のジョイント本体５の対向し、かつ使用されていない脚部５１同士に連結管８を接続して架設することにより、骨組構造２Ｄと同様に、ジョイント４を介して両基本の骨組同士を連結することができる。
このようにして、隣り合う２組の基本の骨組１同士を２本の連結管８で連結することができる。そして、すべての隣り合う２つの基本の骨組１を２本の連結管８で連結することにより骨組構造４Ｄを構築することができる。
４つの基本の骨組が配置された骨組構造４Ｄにおいては、すべての隣り合う２組の基本の骨組の間には、骨組構造２Ｄと同様の間隔となる空間（間隔空間）が形成されている。
【００４２】
骨組構造４Ｄでは、骨組構造２Ｄと同様に、隣り合う２組の基本の骨組同士は、２本の連結管８で連結されて、支柱２の上端部において両基本の骨組の間に形成される間隔空間の平面視４角形の４辺にうち２辺に連結管８が架設されることになり、すべての隣り合う２組の基本の骨組同士、すなわち骨組１ａと骨組１ｂ、骨組１ｂと骨組１ｃ、骨組１ｃと骨組１ｄおよび骨組１ｄと骨組１ａを連結して配置することができる。なお、両基本の骨組の間に形成される間隔空間の平面視４角形の４辺にうち残りの２辺には横架梁３が架設されている。
【００４３】
図１３（ａ）、（ｂ）から分かるように、骨組構造４Ｄでは、「田」の字状に配置された４組の基本の骨組１を互いに距離を隔てて配置することになる平面視十字形の間隔空間が形成され、「田」の字状に配置された４組の基本の骨組の中心部にも平面視４角形の空間が形成されることになる。この４組の基本の骨組の中心部の空間の平面視４角形の角部には、４つの基本の骨組１からそれぞれ１本の支柱２が供されて、４本の支柱２が配置されている。そして、４本の支柱２の上端部においては連結管８が架設されており、上記の平面視４角形の４辺を形成している。
【００４４】
骨組構造４Ｄを構成する４組の基本の骨組１の各骨組の側面、さらには天井面に布やビニールからなるシートやカーテンを取り付けることにより、４つの外部と区切られた空間を形成することができる。すでに記載したように、基本の骨組１における冂（けいがまえ）状の枠組を基本の骨組１が形成する空間への出入り口とすることができるものである。
図１８には、４組の基本の骨組１の側面に、シートやカーテンが取り付けられた骨組構造４Ｄを示した。カーテンは基本の骨組の冂（けいがまえ）状の枠組に取り付けられ、それ以外の側面の枠組にはシートが取り付けられている。なお、図１８では、２組の基本の骨組１のカーテンは開いているが、他の２組の基本の骨組１のカーテンは閉じられている。
【００４５】
骨組構造４Ｄにおける「田」の字状に配置された４組の基本の骨組を離間して配置することになる平面視十字形の間隔空間は通路や資材置き場などにして使用することができる。図１３（ａ）から分かるように、骨組構造４Ｄの「田」の字状に配置された４組の基本の骨組１の中心部の平面視四角形の角部における支柱２の下端部には架設される連結管８がないので、平面視十字形の間隔空間を通路として使用するのに好都合である。
なお、図１３（ａ）と図１８を比較すると、図１３（ａ）では、図１８よりも平面視十字形の間隔空間の幅が大きく描かれているが、これは図１３（ａ）において支柱２、横架梁３、連結管８の配置を明瞭に示すためである。
【００４６】
図１４には、骨組構造４Ｄにおける上述の「田」の字状に配置された４組の基本の骨組１の中心部の空間の平面視４角形の角部に配置された４本の支柱の上端部のみならず下端部にも、その上端部と同じように、連結管８を接続して平面視４角形の４辺を形成するように架設した骨組構造を示した。以下、この骨組構造を「骨組構造４Ｄ′」ということにする。
骨組構造４Ｄ′では、上述のすべての隣り合う２組の基本の骨組同士の間に形成される間隔空間の平面視４角形の４つの角部に位置する一方の組の基本の骨組の２本の支柱と該２本の支柱のそれぞれに対向する他方の組の基本の骨組の２本の支柱において、該一方の組の基本の骨組の２本の支柱のうちの骨組構造の中心部側に位置する支柱２と、該支柱に対向する他方の組の基本の骨組の２本の支柱のうちの骨組構造の中心部側に位置する支柱２との間に、支柱同士の上端部のみならず下端部においても、支柱同士の上端部と同様に、装着されているジョイント４を介して、すなわちジョイント本体５の対向し、かつ使用されていない脚部５１同士に連結管８を間隔空間の平面視４角形の１辺を形成するように架設して連結している。
【００４７】
骨組構造４Ｄ′では、「田」の字状に配置された４つの基本の骨組の中心部の平面視４角形の角部に配置された４本の支柱の上端部と下端部の両方に平面視４角形の４辺を形成するように連結管８を架設しているから、骨組構造４Ｄに比べていっそう堅固な骨組構造とすることができる。
骨組構造４Ｄ′における「田」の字状に配置された４組の基本の骨組を離間して配置することになる平面視十字形の間隔空間は通路や資材置き場などにして使用することができるが、「田」の字状に配置された４つの基本の骨組１の中心部の平面視４角形の角部に配置された４本の支柱２の下端部には、連結管８が架設されているので、通路として利用する場合は、連結管８が通行の妨げとなるので、マットを敷くなどの対応をすることが望ましい。
【００４８】
図１３(a)に示す骨組構造４Ｄでは、それぞれの基本の骨組における冂（けいがまえ）状の枠組は、骨組１ａと骨組１ｂ、骨組１ｃと骨組１ｄではそれぞれ同じ方向に向き、かつ前者の２組の基本の骨組１と後者の２組の基本の骨組１では互いに反対の方向に向いているが、骨組構造２Ｄと同様に（図１２参照）、これに限るものでない。図１３（ａ）には示していないが、４組の基本の骨組の冂（けいがまえ）状の枠組が上述の平面視十字形の間隔空間に向いていてもよい。
基本の骨組における冂（けいがまえ）状の枠組の向きについては、骨組構造４Ｄ′も骨組構造４Ｄと同様である。
すでに記載したように、基本の骨組における冂（けいがまえ）状の骨組は、基本の骨組が形成する空間への出入り口とすることができるものである。
【００４９】
骨組構造４Ｄ′においては、「田」の字状に配置された４組の基本の骨組１の中心部に形成される平面視４角形の角部に配置された４本の支柱の各支柱２の下端部において、図１５に示すように、支柱２と支柱の下端部に架設された横架梁とが形成するコーナー部にコーナー材７を取り付けると、骨組構造４Ｄ′をさらにいっそう堅固なものにすることができる。
【００５０】
骨組構造４Ｄ、４Ｄ′の寸法の具体例の一例を挙げるならば、以下のとおりであるが、もちろん、この寸法の例に限るものではない。
・基本の骨組（空間形成用の骨組）：縦２ｍ×横２ｍ×高さ２ｍ
・平面視十字形の間隔空間の幅：０．５〜１ｍ
また、４組の基本の骨組における各骨組同士の平面視の形状は、隣り合う基本の骨組同士の幅を形成する横架梁の長さが等しい限り、同じである必要はない。
また、平面視十字形の間隔空間の幅も交差する方向で同じである必要はなく、異なっていてもよい。間隔空間の幅は、連結管８の長さを変えることにより、容易に調整できる。
【００５１】
骨組構造４Ｄ、４Ｄ′では、４組の基本の骨組からなるが、これに骨組構造２Ｄの２組の骨組を離間して配置して連結し、６組の基本の骨組からなる骨組構造を構築することができる。
すなわち、骨組構造４Ｄまたは骨組構造４Ｄ′の４組の基本の骨組のうちのいずれかの隣り合う２組の骨組に対して、さらに骨組構造２Ｄの２組の連結された基本の骨組を離間して２組配置し、前者の骨組構造４Ｄまたは骨組構造４Ｄ′における２組の骨組と後者の骨組構造２Ｄの２組の骨組とを連結管で連結して、骨組構造４Ｄまたは骨組構造４Ｄ′と同じ構造のものを構築して、６組の基本の骨組を離間して配置した骨組構造とすることができる。図１６に、このようにして構築された６組の基本の骨組（骨組１ａ〜１ｆ）を備える骨組構造を示した。
【００５２】
また、骨組構造４Ｄまたは骨組構造４Ｄ′の４組の基本の骨組のうちのいずれかの隣り合う２組の骨組に対して、さらに別の骨組構造４Ｄまたは４Ｄ′のうちのいずれかの隣り合う２組の骨組の連結された基本の骨組を離間して配置し、前者の２組の骨組と後者の２組の骨組とを連結管で連結して、骨組構造４Ｄまたは骨組構造４Ｄ′とおなじものを構築して、８組の空間成形用の骨組を離間して配置した骨組構造とすることができる。図１７に、このようにして構築された８組の基本の骨組（骨組１ａ〜１ｈ）を備える骨組構造を示した。
【００５３】
以上のとおり、本発明の骨組構造は、４組、６組あるいは８組の基本の骨組（空間形成用の骨組）を、該基本の骨組に使用されているジョイントを介して連結管により連結して容易に構築することができるが、同様にして、さらに、１０組、１２組、１４組・・・の基本の骨組を備える骨組構造を構築することができる。
本発明の骨組構造は、４組以上の基本の骨組（空間形成用の骨組）を離間して集合的に連結しているから、より安定した状態で設置できる。
また、もとより基本の骨組は分解後コンパクトに収納できるできるものであり、基本の骨組を連結する主たる部品が連結管のみであるので、本発明の骨組構造は、分解後においても、コンパクトに収納ができ、広い保管スペースを必要としないものである。
【符号の説明】
【００５４】
１：空間形成用の骨組（基本の骨組）
２：支柱
３：横架梁
４：ジョイント
５：ジョイント本体
５１：脚部
５２：脚部に形成された孔
６：サブジョイント（略Ｃ型クリップ、割ピン）
６１：ピン
６２：把持部
６３：頭部
７：コーナー材
７１：本体部材
７２：把持部材
７２１：把持部
７２２：ソケット部
８：連結管
【要約】
【課題】区切られた空間を形成することができる空間形成用の骨組を、隣り合う空間同士の間には距離を確保しつつ、集合的に連結することができる骨組構造を提供する。
【解決手段】空間形成用の骨組を「田」の字状に４組離間して配置するとともに、隣り合う２組の空間形成用の骨組同士を、該骨組同士の離間する間隔が平面視４角形の空間を形成するように並べ、該間隔が形成する空間の平面視４角形の４つの角部に位置する２組の空間形成用の骨組同士のうちの一方の組の空間形成用の骨組の２本の支柱と他方の組の空間形成用の骨組の２本の支柱との間に、支柱同士の上端部に装着されている空間成形用の骨組におけるジョイントを介して、２本のパイプ材である連結管を該平面視４角形の２辺を形成するように架設して、隣り合う２組の空間形成用の骨組同士を連結した骨組構造。
【選択図】図１３【図１】
0006966139.tif 000002
【図２】
0006966139.tif 000003
【図３】
0006966139.tif 000004
【図４】
0006966139.tif 000005
【図５】
0006966139.tif 000006
【図６】
0006966139.tif 000007
【図７】
0006966139.tif 000008
【図８】
0006966139.tif 000009
【図９】
0006966139.tif 000010
【図１０】
0006966139.tif 000011
【図１１】
0006966139.tif 000012
【図１２】
0006966139.tif 000013
【図１３】
0006966139.tif 000014
【図１４】
0006966139.tif 000015
【図１５】
0006966139.tif 000016
【図１６】
0006966139.tif 000017
【図１７】
0006966139.tif 000018
【図１８】
0006966139.tif 000019